(57)【要約】【課題】緊急呼などの非常時の通信においては、発呼時の送信電力を上げて呼接続が早く行えるようにする。【解決手段】端末制御部５が、接続先の電話番号が緊急呼に相当するかを判断し、緊急呼に相当する場合には電力制御部３に設定する送信電力設定値にあらかじめ設定されたオフセット値を加え、電力制御部３が、受信部２からの受信電力情報と端末制御部５からの送信電力設定値とを受けて送信電力値を決定し、送信部４に対して送信電力制御信号を出力する。【選択図】      図１
2004241889.tif 000002
【特許請求の範囲】
【請求項１】
開ループによって送信電力の制御を行うＣＤＭＡ移動端末であって、
発呼する際に接続先の電話番号が緊急呼であるか否かを判断し、
前記電話番号が緊急呼に相当する場合には、前記送信電力を通常よりも高く設定してプリアンブルの送信を行うことを特徴とするＣＤＭＡ移動端末。
【請求項２】
開ループによって送信電力の制御を行うＣＤＭＡ移動端末であって、
接続先の電話番号が緊急呼に相当する場合には送信電力設定値にオフセット値を加えることを特徴とするＣＤＭＡ移動端末。
【請求項３】
送信電力の制御を行うＣＤＭＡ移動端末であって、
共通制御チャネルを使用して呼接続する接続先の電話番号が緊急呼に相当するかを判断し、
前記電話番号が前記緊急呼に相当する場合には、設定する送信電力設定値にあらかじめ設定されたオフセット値を加えることを特徴とするＣＤＭＡ移動端末。
【請求項４】
アンテナと、前記アンテナに接続する受信部と、前記アンテナに接続する送信部と、前記受信部からの受信電力情報を入力し前記送信部へ送信電力制御信号を出力する電力制御部と、前記受信部からの受信信号を入力し前記送信部へ送信信号を出力し、前記電力制御部へ送信電力設定値を出力する端末制御部と、前記端末制御部に接続する入出力部とを含んで構成されるＣＤＭＡ移動端末であって、
前記入出力部に接続先の電話番号が入力され発呼ボタンが押下されると、
前記端末制御部が、
接続先の電話番号が緊急呼に相当するかを判断し、
前記電話番号が前記緊急呼に相当する場合には前記電力制御部に設定する前記送信電力設定値にあらかじめ設定されたオフセット値を加え、
前記電力制御部が、
前記受信部からの受信電力情報と前記端末制御部からの前記送信電力設定値とを受けて送信電力値を決定し、前記送信部に対して送信電力制御信号を出力する
ことを特徴とするＣＤＭＡ移動端末。
【請求項５】
前記オフセット値が、
最初に設定される前記送信電力設定値に加えられることを特徴とする請求項２から請求項４のいずれかに記載のＣＤＭＡ移動端末。
【請求項６】
前記オフセット値が、
最初に設定される前記送信電力設定値に対する割合で決められることを特徴とする請求項２から請求項４のいずれかに記載のＣＤＭＡ移動端末。
【請求項７】
前記電話番号が、
警察署、消防署、救急病院を含む緊急連絡先の電話番号であることを特徴とする請求項１から請求項４のいずれかに記載のＣＤＭＡ移動端末。
【請求項８】
開ループによって送信電力の制御を行うＣＤＭＡ移動端末の呼接続方法であって、
発呼する際に接続先の電話番号が緊急呼であるか否かを判断し、
前記電話番号が緊急呼に相当する場合には、前記送信電力を通常よりも高く設定してプリアンブルの送信を行うことを特徴とするＣＤＭＡ移動端末の呼接続方法。
【請求項９】
開ループによって送信電力の制御を行うＣＤＭＡ移動端末の呼接続方法であって、
接続先の電話番号が緊急呼に相当する場合には送信電力設定値にオフセット値を加えることを特徴とするＣＤＭＡ移動端末の呼接続方法。
【請求項１０】
送信電力の制御を行うＣＤＭＡ移動端末の呼接続方法であって、
共通制御チャネルを使用して呼接続する接続先の電話番号が緊急呼に相当するかを判断し、
前記電話番号が前記緊急呼に相当する場合には、設定する送信電力設定値にあらかじめ設定されたオフセット値を加えることを特徴とするＣＤＭＡ移動端末の呼接続方法。
【請求項１１】
アンテナと、前記アンテナに接続する受信部と、前記アンテナに接続する送信部と、前記受信部からの受信電力情報を入力し前記送信部へ送信電力制御信号を出力する電力制御部と、前記受信部からの受信信号を入力し前記送信部へ送信信号を出力し、前記電力制御部へ送信電力設定値を出力する端末制御部と、前記端末制御部に接続する入出力部とを含んで構成されるＣＤＭＡ移動端末の呼接続方法であって、
前記端末制御部が、
接続先の電話番号が緊急呼に相当するかを判断し、前記電話番号が前記緊急呼に相当する場合には前記電力制御部に設定する前記送信電力設定値にあらかじめ設定されたオフセット値を加え、
前記電力制御部が、
前記受信部からの受信電力情報と前記端末制御部からの前記送信電力設定値とを受けて送信電力値を決定し、前記送信部に対して送信電力制御信号を出力する
ことを特徴とするＣＤＭＡ移動端末の呼接続方法。
【請求項１２】
前記オフセット値が、
最初に設定される前記送信電力設定値に加えられることを特徴とする請求項９から請求項１１のいずれかに記載のＣＤＭＡ移動端末の呼接続方法。
【請求項１３】
前記オフセット値が、
最初に設定される前記送信電力設定値に対する割合で決められることを特徴とする請求項８から請求項１１のいずれかに記載のＣＤＭＡ移動端末の呼接続方法。
【請求項１４】
前記電話番号が、
警察署、消防署、救急病院を含む緊急連絡先の電話番号であることを特徴とする請求項８から請求項１１のいずれかに記載のＣＤＭＡ移動端末の呼接続方法。
【発明の詳細な説明】
【０００１】
【発明の属する技術分野】
本発明は、ＣＤＭＡ移動通信システムにおける移動端末に関し、特に呼接続の時間を短縮する移動端末およびその呼接続方法に関する。
【０００２】
【従来の技術】
ＣＤＭＡ（Ｃｏｄｅ  Ｄｉｖｉｓｉｏｎ  Ｍｕｌｔｉｐｌｅ  Ａｃｃｅｓｓ）方式による移動体通信において、呼接続時等の共通制御チャネルを使用する通信では特定の移動端末に対する下りチャネルを有しないために、閉ループによる送信電力制御が行えない。そのため、移動端末は基地局装置の信号を受信し、その受信電界に応じて開ループとよばれる送信電力の制御を行っている。
【０００３】
しかしながら、ＣＤＭＡ／ＦＤＤ（Ｆｒｅｑｕｅｎｃｙ  Ｄｉｖｉｓｉｏｎ  Ｄｕｐｌｅｘ）方式では上り／下りの周波数が異なるため、周波数選択フェージング等の影響で上り／下りの伝搬ロスが等しいとは限らず、移動端末が必要以上の送信電力で送信を行ってしまうことがある。
【０００４】
また、ＣＤＭＡ／ＴＤＤ（Ｔｉｍｅ  Ｄｉｖｉｓｉｏｎ  Ｄｕｐｌｅｘ）方式においても基地局装置からの信号を受信する時間と移動端末が送信を行う時間が異なるためにそれらの時間での伝搬ロスが等しいとは限らず、移動端末が常に適切な送信電力で送信することは不可能である。
【０００５】
そこでＣＤＭＡ方式による移動通信では、移動端末が開ループの悪影響で必要以上の電力で送信し、他の移動端末に影響を与えないために共通制御チャネルでの送信時には、はじめは基地局に届きそうもない送信電力から送信を開始し、徐々に送信電力を上げていく手法がとられている（図４参照）。
【０００６】
ＣＤＭＡ移動通信システムにおいて、移動端末が発呼する場合には同一周波数で通信を行っている他の移動端末に与える影響を最小限に抑えるために、発呼を行う移動端末は基地局で確実に受信可能と予想される送信電力よりも少ない電力でプリアンブルを送信する。基地局は移動端末が送信したプリアンブルを受信した場合には受信できた旨を応答として送信する。移動端末は基地局からの応答がなければ、先ほどよりも少し送信電力を高くしてプリアンブルを再送する。以上の繰り返しで移動端末は基地局からの応答が受信できたときに、そのときの送信電力設定のままデータの送信を行う（図４参照）。
【０００７】
つまり、ＣＤＭＡ移動通信システムにおいては、移動端末が発呼する場合に、他の移動端末の通信への影響を最小限にするために階段状に送信電力を上げるため、移動端末からの信号が基地局に受信されるまで時間がかかる。
【０００８】
図４では、プリアンブル１回目の送信を行うが、基地局にて受信可能な電力レベルに達しない。さらに送信レベルを少し高くしたプリアンブル２回目を送信するが基地局にて受信可能な電力レベルに達しない。さらに送信レベルを少し高くしたプリアンブル３回目を送信すると基地局にて受信可能な電力レベルに達し、ここで初めて基地局が受信でき、データの送信を行う。
【０００９】
関連する技術として特開昭６２−１１３６５号公報（特許文献１）に、緊急呼出方法が開示されている。この技術は緊急呼出スイッチ、メモリ、緊急音声発生装置などを備え、緊急呼出スイッチが操作された時メモリに記憶してある電話番号を相手先として発呼し、この連絡先に緊急事態を通知する技術である。
【００１０】
【特許文献１】
特開昭６２−１１３６５号公報（特許請求の範囲、第１図）
【００１１】
【発明が解決しようとする課題】
階段状に送信電力を上げるように制御することで、他の移動端末に対する影響はある程度防ぐことが可能となるが、この制御のために移動端末が発呼してから実際に通信を開始できる（個別チャネルに通信を移す）までに時間を要する。
【００１２】
本発明の目的は、呼接続に時間のかかるＣＤＭＡによる移動通信において、緊急呼（警察や救急）などの非常時の通信においては、発呼時の送信電力を上げて呼接続が早く行えるようにすることで、１分１秒を争う緊急時にいち早く連絡が取れるようにすることである。
【００１３】
【課題を解決するための手段】
本発明のＣＤＭＡ移動端末は、開ループによって送信電力の制御を行うＣＤＭＡ移動端末であって、発呼する際に接続先の電話番号が緊急呼であるか否かを判断し、前記電話番号が緊急呼に相当する場合には、前記送信電力を通常よりも高く設定してプリアンブルの送信を行うことを特徴とする。
【００１４】
本発明のＣＤＭＡ移動端末は、開ループによって送信電力の制御を行うＣＤＭＡ移動端末であって、接続先の電話番号が緊急呼に相当する場合には送信電力設定値にオフセット値を加えることを特徴とする。
【００１５】
本発明のＣＤＭＡ移動端末は、送信電力の制御を行うＣＤＭＡ移動端末であって、共通制御チャネルを使用して呼接続する接続先の電話番号が緊急呼に相当するかを判断し、前記電話番号が前記緊急呼に相当する場合には、設定する送信電力設定値にあらかじめ設定されたオフセット値を加えることを特徴とする。
【００１６】
本発明のＣＤＭＡ移動端末は、アンテナと、前記アンテナに接続する受信部と、前記アンテナに接続する送信部と、前記受信部からの受信電力情報を入力し前記送信部へ送信電力制御信号を出力する電力制御部と、前記受信部からの受信信号を入力し前記送信部へ送信信号を出力し、前記電力制御部へ送信電力設定値を出力する端末制御部と、前記端末制御部に接続する入出力部とを含んで構成されるＣＤＭＡ移動端末であって、前記入出力部に接続先の電話番号が入力され発呼ボタンが押下されると、前記端末制御部が、接続先の電話番号が緊急呼に相当するかを判断し、前記電話番号が前記緊急呼に相当する場合には前記電力制御部に設定する前記送信電力設定値にあらかじめ設定されたオフセット値を加え、前記電力制御部が、前記受信部からの受信電力情報と前記端末制御部からの前記送信電力設定値とを受けて送信電力値を決定し、前記送信部に対して送信電力制御信号を出力することを特徴とする。
【００１７】
本発明のＣＤＭＡ移動端末は、前記オフセット値が、最初に設定される前記送信電力設定値に加えられることを特徴とする。
【００１８】
本発明のＣＤＭＡ移動端末は、前記オフセット値が、最初に設定される前記送信電力設定値に対する割合で決められることを特徴とする。
【００１９】
本発明のＣＤＭＡ移動端末は、前記電話番号が、警察署、消防署、救急病院を含む緊急連絡先の電話番号であることを特徴とする。
【００２０】
本発明のＣＤＭＡ移動端末の呼接続方法は、開ループによって送信電力の制御を行うＣＤＭＡ移動端末の呼接続方法であって、発呼する際に接続先の電話番号が緊急呼であるか否かを判断し、前記電話番号が緊急呼に相当する場合には、前記送信電力を通常よりも高く設定してプリアンブルの送信を行うことを特徴とする。
【００２１】
本発明のＣＤＭＡ移動端末の呼接続方法は、開ループによって送信電力の制御を行うＣＤＭＡ移動端末の呼接続方法であって、接続先の電話番号が緊急呼に相当する場合には送信電力設定値にオフセット値を加えることを特徴とする。
【００２２】
本発明のＣＤＭＡ移動端末の呼接続方法は、送信電力の制御を行うＣＤＭＡ移動端末の呼接続方法であって、共通制御チャネルを使用して呼接続する接続先の電話番号が緊急呼に相当するかを判断し、前記電話番号が前記緊急呼に相当する場合には、設定する送信電力設定値にあらかじめ設定されたオフセット値を加えることを特徴とする。
【００２３】
本発明のＣＤＭＡ移動端末の呼接続方法は、アンテナと、前記アンテナに接続する受信部と、前記アンテナに接続する送信部と、前記受信部からの受信電力情報を入力し前記送信部へ送信電力制御信号を出力する電力制御部と、前記受信部からの受信信号を入力し前記送信部へ送信信号を出力し、前記電力制御部へ送信電力設定値を出力する端末制御部と、前記端末制御部に接続する入出力部とを含んで構成されるＣＤＭＡ移動端末の呼接続方法であって、前記端末制御部が、接続先の電話番号が緊急呼に相当するかを判断し、前記電話番号が前記緊急呼に相当する場合には前記電力制御部に設定する前記送信電力設定値にあらかじめ設定されたオフセット値を加え、前記電力制御部が、前記受信部からの受信電力情報と前記端末制御部からの前記送信電力設定値とを受けて送信電力値を決定し、前記送信部に対して送信電力制御信号を出力することを特徴とする。
【００２４】
本発明のＣＤＭＡ移動端末の呼接続方法は、前記オフセット値が、最初に設定される前記送信電力設定値に加えられることを特徴とする。
【００２５】
本発明のＣＤＭＡ移動端末の呼接続方法は、前記オフセット値が、最初に設定される前記送信電力設定値に対する割合で決められることを特徴とする。
【００２６】
本発明のＣＤＭＡ移動端末の呼接続方法は、前記電話番号が、警察署、消防署、救急病院を含む緊急連絡先の電話番号であることを特徴とする。
【００２７】
【発明の実施の形態】
まず最初に本発明の特徴を説明する。本発明のＣＤＭＡ移動端末（以下、移動端末）は、呼接続時等の共通制御チャネルを使用する通信では特定の端末に対する下りチャネルを有しないために閉ループによる送信電力制御が行えないので、基地局装置の信号を受信し、その受信電界に応じて開ループとよばれる送信電力の制御を行っている。移動端末から緊急呼（警察署、消防署、救急病院などを含む緊急連絡先への呼）が発生した場合に、移動端末の送信電力を増加させ通常よりも高速に接続が行えるようにすることを特徴としている。
【００２８】
本発明の移動端末では、発呼する際に接続先の電話番号が緊急呼に相当するか否かを判断し、その電話番号が緊急呼に相当する場合にのみ、送信電力値を通常よりも高く設定しプリアンブルの送信を行うことで、基地局では通常の発呼時よりも少ないプリアンブルの回数で発呼信号を受信することが可能となる（図２、図３参照）。その結果、通常の発呼よりも早く呼接続が可能となる。
【００２９】
次に、本発明の実施の形態について図面を参照して詳細に説明する。図１は、本発明の移動端末の構成を示すブロック図である。
【００３０】
図１を参照すると、本発明の移動端末は、アンテナ１、受信部２、電力制御部３、送信部４、端末制御部５、入出力部６を含んで構成される。
【００３１】
アンテナ１は、基地局装置からの電波を受信し受信部２に受信信号を渡す。また送信部４からの送信信号を空中に送信する。受信部２はアンテナ１から入力された基地局装置からの信号を復調し、受信信号として端末制御部５に渡す。
【００３２】
受信部２は、受信した際の受信電界及び復調しているチャネルの信号対雑音比等のＣＤＭＡの電力制御に必要な受信電力情報を電力制御部３に渡す。
【００３３】
電力制御部３は、受信部２からの受信電力情報と端末制御部５からの送信電力設定値を元に送信電力値を決定し、送信電力制御信号として送信部４に渡す。
【００３４】
送信部４は、端末制御部５からの送信信号を変調し、電力制御部３からの送信電力制御信号に指定された電力まで増幅した後、アンテナ１を経由して送信を行う。
【００３５】
端末制御部５は、受信部２からの受信信号を入出力部６に出力する。端末制御部５は、入出力部６より受け取った音声／データなどを送信信号として送信部４に渡す。さらに、端末制御部５は電力制御部３に対して送信電力値を設定して送信電力設定値として送出することや、発呼／着呼等電話に必要なその他の制御も行う。また、端末制御部５は、移動端末を制御するプログラムを記憶したＲＯＭを備え、警察署や消防署や救急病院など緊急呼となる電話番号を含む電話番号を記憶している。
【００３６】
入出力部６は、端末制御部５からの音声データを音にして出力したり、音声信号を端末制御部５に渡したり、端末制御部５からのデータの表示を行ったり、キー入力及び入力された番号を端末制御部５に渡すといった入出力機能を有する。
【００３７】
次に、本発明の実施の形態の動作について図１〜３を参照して説明する。
【００３８】
図２は、本発明の共通制御ＣＨにおける緊急呼の送信を示す図である。オフセット値Ａを加えたプリアンブル１回目の送信で基地局にて受信可能な電力レベルになり、基地局で受信されている。図３は、本発明の共通制御ＣＨにおける緊急呼の送信を示す図である。図２とは異なる値のオフセット値Ｂを加えたプリアンブル１回目の送信で基地局にて受信可能な電力レベルになならず、プリアンブル２回目の送信で基地局で受信されている。
【００３９】
入出力部６に接続先の電話番号が入力され、発呼ボタンが押されると移動端末は共通制御チャネルでの発呼制御に移る。
【００４０】
ここで端末制御部５は、入出力部６に入力された接続先の電話番号が緊急呼に相当するかを判断し、緊急呼に相当する場合には電力制御部３に最初（プリアンブル１回目）に設定する送信電力設定値にあらかじめ設定されたオフセット値を加える。電力制御部３は、受信部２からの受信電力情報と、端末制御部５からの送信電力設定値（オフセット値が加えられているプリアンブル１回目のもの）を受け、送信電力値を決定し送信部４に対して送信電力制御信号を出力する。送信部４は、送信電力制御信号に指定された電力まで増幅してアンテナ１へ送出する。
【００４１】
オフセット値は、例えば通常の第１回目（最初）のプリアンブル（図４参照）での送信電力設定値に対する割合（例えば、オフセット値＝送信電力設定値×０．２など）で設定してもよい。
【００４２】
端末制御部５がプリアンブル送信を開始すると、送信部４は設定された送信電力でプリアンブルを変調及び増幅し基地局に対して送信を行う。
【００４３】
そして、端末制御部５は基地局装置からの受信応答が返ってくるまでプリアンブル送信回数に応じて電力制御部３に対する送信電力設定値（この送信電力設定値にはオフセット値が既に加えてある）を上げてプリアンブルの送信を繰り返し、その結果移動端末の送信電力が増加する。
【００４４】
オフセット値は、プリアンブル１回目（最初）に設定する送信電力設定値に加えられるだけで、次回以降に設定される送信電力設定値は最初のオフセット値を含んでいるので、新たに加えられることはない（図３参照）。
【００４５】
移動端末の受信部２からの受信電力情報が変化した場合には逐次電力制御部３は送信部４に対して送信電力制御信号により送信電力の設定を行う（開ループ）。
【００４６】
以上の説明では、オフセット値は、プリアンブル１回目（最初）のみ加えているが、必要に応じてプリアンブル２回目以降適時加えてもよいし、プリアンブル２回目以降に加えるオフセット値はプリアンブル１回目（最初）のオフセット値と異なっていてもよい。
【００４７】
【発明の効果】
第１の効果は、移動端末が接続先の電話番号が緊急呼に相当するか否かを判断し、緊急呼に相当する場合に、通常の送信電力値にオフセット値を加えて送信するので、緊急呼を高速に接続できることである。この高速接続によって緊急時にいち早く連絡することが可能になる。
【００４８】
第２の効果は、緊急呼を発呼する場合に、移動端末が自動的にプリアンブルの送信電力を高くして送信することで、通常よりも少ないプリアンブル送信回数で基地局装置に発呼信号が到達し、その結果呼接続までの時間が短縮できることである。
【図面の簡単な説明】
【図１】本発明の移動端末の構成を示すブロック図である。
【図２】本発明の共通制御ＣＨにおける緊急呼の送信を示す図である。
【図３】本発明の共通制御ＣＨにおける緊急呼の送信を示す図である。
【図４】従来の共通制御ＣＨにおける送信を示す図である。
【符号の説明】
１    アンテナ
２    受信部
３    電力制御部
４    送信部
５    端末制御部
６    入出力部
【図１】
2004241889.tif 000003
【図２】
2004241889.tif 000004
【図３】
2004241889.tif 000005
【図４】
2004241889.tif 000006